(57)【特許請求の範囲】
【請求項１】
無線信号送受信手段と、リモコンＩＤナンバーが登録設定されるリモコンＩＤナンバー登録部とを有して、該リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される構成と成し、燃焼機器には複数の燃焼機器に共通のマスターナンバーが予め登録設定されたマスターナンバー登録部を設け、該マスターナンバーを有し、該マスターナンバーと同じナンバーが登録設定されている前記複数の燃焼機器と無線信号による相互通信可能なマスターリモコンを備え、該マスターリモコンには前記燃焼機器の前記ＩＤナンバー登録部に設定登録されているＩＤナンバーを更新登録するＩＤナンバー操作手段が設けられ、該マスターリモコンに設けられているＩＤナンバー操作手段によって燃焼機器のリモコンＩＤナンバーを更新登録することを特徴とする燃焼機器のリモコン通信システム。
【請求項２】
燃焼機器にＩＤ登録リモコンのＩＤナンバーを変更するＩＤナンバー変更手段を設け、マスターリモコンのＩＤナンバー操作手段によって燃焼機器のリモコンＩＤナンバーが変更された後に、前記燃焼機器のＩＤナンバー変更手段によってＩＤ登録リモコンのＩＤナンバーを燃焼機器のリモコンＩＤナンバーと等しいＩＤナンバーに変更することを特徴とする請求項１記載の燃焼機器のリモコン通信システム。
【請求項３】
燃焼機器とＩＤ登録リモコンの少なくとも一方には、ＩＤナンバー登録スイッチと、該ＩＤナンバー登録スイッチのオン信号を受けたときのみＩＤナンバーの変更動作の許可信号を出力する許可信号出力部を設けたことを特徴とする請求項１又は請求項２記載の燃焼機器のリモコン通信システム。
【請求項４】
マスターリモコンの代わりに、燃焼機器に信号接続されるＩＤナンバー登録外部操作装置を設け、該ＩＤナンバー登録外部操作装置によって燃焼機器のリモコンＩＤナンバーを変更登録することを特徴とする請求項１記載の燃焼機器のリモコン通信システム。
【請求項５】
無線信号送受信手段と、リモコンＩＤナンバーが登録設定されるリモコンＩＤナンバー登録部とを有して、該リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される燃焼機器のリモコン通信システムに用いられる燃焼機器であって、複数の燃焼機器に共通のマスターナンバーが予め登録設定されたマスターナンバー登録部を有し、前記リモコンＩＤナンバー登録部は、同じマスターナンバーをもつマスターリモコンからのリモコンＩＤナンバーの更新登録信号に従ってＩＤナンバー登録部のリモコンＩＤナンバーを更新登録する構成としたことを特徴とする燃焼機器のリモコン通信システムに用いられる燃焼機器。
【請求項６】
マスターリモコンのＩＤナンバー操作手段によって燃焼機器のリモコンＩＤナンバー登録部に登録設定されているリモコンＩＤナンバーが変更された後にＩＤ登録リモコンのＩＤナンバーを燃焼機器の前記変更後のリモコンＩＤナンバーと同じナンバーに変更するＩＤナンバー変更手段が設けられていることを特徴とする請求項５記載の燃焼機器のリモコン通信システムに用いられる燃焼機器。
【請求項７】
無線信号送受信手段と、リモコンＩＤナンバーが登録設定されるリモコンＩＤナンバー登録部と、複数の燃焼機器に共通のマスターナンバーが予め登録設定されたマスターナンバー登録部とを有して、前記リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される燃焼機器のリモコン通信システムに用いられて、前記燃焼機器のリモコンＩＤナンバー登録部に設定登録されているリモコンＩＤナンバーを更新するマスターリモコンであって、マスターナンバーが登録設定されているＩＤナンバー登録部を有し、前記ＩＤナンバー登録部に登録されているマスターナンバーと同じマスターナンバーをもつ燃焼機器と無線信号による相互通信を行う構成とし、燃焼機器のリモコンＩＤナンバー登録部に登録されているリモコンＩＤナンバーを更新登録するＩＤナンバー操作手段を有することを特徴とするマスターリモコン。
【発明の詳細な説明】
【０００１】
【発明の属する技術分野】
本発明は、給湯器などの燃焼機器とリモコンとを無線信号によって相互通信する燃焼機器のリモコン通信システムおよびその通信システムに用いられる燃焼機器およびマスターリモコンに関するものである。
【０００２】
【従来の技術】
図３に示すように、燃焼機器として一般的に用いられている給湯器１には制御装置２が設けられており、制御装置２にはリモコン４が信号接続されている。この制御装置２とリモコン４との信号接続は、有線により行われているものもあるが、最近では、無線信号によって制御装置２とリモコン４とを信号接続し、制御装置２とリモコン４の相互通信を行う、いわゆる、ワイヤレスリモコンを用いた燃焼機器のリモコン通信システムが用いられている。
【０００３】
この通信システムにおいて、給湯器１には、無線信号送受信手段１３と、リモコンＩＤナンバーが登録設定されるリモコンＩＤナンバー登録部８とが設けられており、リモコンＩＤナンバー登録部８には、例えば”７８”といった燃焼機器の個別のリモコンＩＤナンバーが登録設定されている。一方、この燃焼機器と相互通信されるリモコン（ＩＤ登録リモコン）４には無線信号送受信手段１４と、ＩＤナンバーが登録設定されるＩＤナンバー登録部５とが設けられており、このＩＤナンバー登録部５に、燃焼機器のリモコンＩＤナンバー、すなわち、同図に示すリモコン４においては”７８”が登録設定されている。
【０００４】
そして、このように、燃焼機器のリモコンＩＤナンバーと同じＩＤナンバーが登録設定されたリモコン４のみが無線信号によって燃焼機器と相互通信され、ＩＤナンバー登録部５に登録設定されているＩＤナンバーが燃焼機器のリモコンＩＤナンバーと異なるリモコン４は、燃焼機器との相互通信ができないようになっている。このように、燃焼機器のリモコンＩＤナンバーと同じＩＤナンバーが登録設定されたリモコン４のみが無線信号によって燃焼機器と相互通信できるようにすることで、例えばマンション等の集合住宅において、リモコン４の操作により、隣の家に設けられた給湯器１等の燃焼機器が動作するといった問題が生じることを抑制している。
【０００５】
なお、例えば、リモコン４には運転ボタンや給湯湯温を設定する給湯温度設定ボタンや、給湯器１の不具合時のエラー情報を表示する表示部等が設けられており、制御装置２は、リモコン４の運転ボタンからの運転指令によって制御装置２をオン状態とし、給湯栓（図示せず）が開けられて通水がセンサにより検出されると、バーナの燃焼を行い、リモコン４側で指定された給湯設定温度となるようにバーナ燃焼制御を行い、動作異常が自己判断により検出されたときには、その異常信号を無線信号を介してリモコン４側に送り、リモコン４の表示部にエラーを表示している。
【０００６】
また、給湯機能と風呂機能を備えた複合給湯器の場合も、リモコン４側で風呂の自動湯張り運転や、追い焚き等の運転指令が無線信号によって制御装置２側に送られ、このリモコン指令を受けて、制御装置２側ではリモコン４で指令された運転動作を行い、器具の異常等が生じた場合には、これを自己判断して、異常検知信号を無線信号を介してリモコン４に送り、リモコン４の表示部にエラーを表示するようにしている。
【０００７】
【発明が解決しようとする課題】
しかしながら、上記のような燃焼機器のリモコン通信システムにおいては、燃焼機器に登録されているリコンＩＤナンバーと同じＩＤナンバーが登録設定されたリモコン４のみが燃焼機器と相互通信できるようになっており、それ以外のリモコン４は燃焼機器との相互通信を行うことができないために、燃焼機器と同じＩＤナンバーが登録設定されたリモコン４を紛失してしまったときに、リモコン４を用いて燃焼機器の操作を行うことができなくなってしまうといった問題があった。
【０００８】
本発明は上記課題を解決するためになされたものであり、その目的は、個別の燃焼機器との通信用として予め設けられたリモコンが紛失しても、他のリモコンを用いて燃焼機器とリモコンとの相互通信を行えるようにすることができる燃焼機器のリモコン通信システムおよびその通信システムに用いられる燃焼機器およびマスターリモコンを提供することにある。
【０００９】
【課題を解決するための手段】
上記目的を達成するために、本発明は次のような構成をもって課題を解決するための手段としている。すなわち、本発明の燃焼機器のリモコン通信システムは、無線信号送受信手段と、リモコンＩＤナンバーが登録設定されるリモコンＩＤナンバー登録部とを有して、該リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される構成と成し、燃焼機器には複数の燃焼機器に共通のマスターナンバーが予め登録設定されたマスターナンバー登録部を設け、該マスターナンバーを有し、該マスターナンバーと同じナンバーが登録設定されている前記複数の燃焼機器と無線信号による相互通信可能なマスターリモコンを備え、該マスターリモコンには前記燃焼機器の前記ＩＤナンバー登録部に設定登録されているＩＤナンバーを更新登録するＩＤナンバー操作手段が設けられ、該マスターリモコンに設けられているＩＤナンバー操作手段によって燃焼機器のリモコンＩＤナンバーを更新登録する構成をもって課題を解決するための手段としている。
【００１０】
また、燃焼機器にＩＤ登録リモコンのＩＤナンバーを変更するＩＤナンバー変更手段を設け、マスターリモコンのＩＤナンバー操作手段によって燃焼機器のリモコンＩＤナンバーが変更された後に、前記燃焼機器のＩＤナンバー変更手段によってＩＤ登録リモコンのＩＤナンバーを燃焼機器のリモコンＩＤナンバーと等しいＩＤナンバーに変更することも本発明の燃焼機器のリモコン通信システムの特徴的な構成とされている。
【００１１】
さらに、燃焼機器とＩＤ登録リモコンの少なくとも一方にはＩＤナンバー登録スイッチと、該ＩＤナンバー登録スイッチのオン信号を受けたときのみＩＤナンバーの変更動作の許可信号を出力する許可信号出力部を設けたこと、前記マスターリモコンの代わりに、燃焼機器に信号接続されるＩＤナンバー登録外部操作装置を設け、該ＩＤナンバー登録外部操作装置によって燃焼機器のリモコンＩＤナンバーを変更登録することも本発明の燃焼機器のリモコン通信システムの特徴的な構成とされている。
【００１２】
また、本発明の燃焼機器のリモコン通信システムに用いられる燃焼機器は、無線信号送受信手段と、リモコンＩＤナンバーが登録設定されるリモコンＩＤナンバー登録部とを有して、該リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される燃焼機器のリモコン通信システムに用いられる燃焼機器であって、複数の燃焼機器に共通のマスターナンバーが予め登録設定されたマスターナンバー登録部を有し、前記リモコンＩＤナンバー登録部は、同じマスターナンバーをもつマスターリモコンからのリモコンＩＤナンバーの更新登録信号に従ってＩＤナンバー登録部のリモコンＩＤナンバーを更新登録する構成とした構成をもって課題を解決するための手段としている。
【００１３】
さらに、前記マスターリモコンのＩＤナンバー操作手段によって燃焼機器のリモコンＩＤナンバー登録部に登録設定されているリモコンＩＤナンバーが変更された後にＩＤ登録リモコンのＩＤナンバーを燃焼機器の前記変更後のリモコンＩＤナンバーと同じナンバーに変更するＩＤナンバー変更手段が設けられていることも本発明の燃焼機器のリモコン通信システムに用いられる燃焼機器の特徴的な構成とされている。
【００１４】
さらに、本発明のマスターリモコンは、無線信号送受信手段と、リモコンＩＤナンバーが登録設定されるリモコンＩＤナンバー登録部と、複数の燃焼機器に共通のマスターナンバーが予め登録設定されたマスターナンバー登録部とを有して、前記リモコンＩＤナンバー登録部に予め燃焼機器の個別のリモコンＩＤナンバーが登録設定されている燃焼機器と；無線信号送受信手段と、ＩＤナンバーが登録設定されるＩＤナンバー登録部とを有して、該ＩＤナンバー登録部に前記燃焼機器のリモコンＩＤナンバーと同じＩＤナンバーが登録設定されたＩＤ登録リモコンと；が無線信号によって相互通信される燃焼機器のリモコン通信システムに用いられて、前記燃焼機器のリモコンＩＤナンバー登録部に設定登録されているリモコンＩＤナンバーを更新するマスターリモコンであって、マスターナンバーが登録設定されているＩＤナンバー登録部を有し、前記ＩＤナンバー登録部に登録されているマスターナンバーと同じマスターナンバーをもつ燃焼機器と無線信号による相互通信を行う構成とし、燃焼機器のリモコンＩＤナンバー登録部に登録されているリモコンＩＤナンバーを更新登録するＩＤナンバー操作手段を有する構成をもって課題を解決するための手段としている。
【００１５】
上記構成の本発明において、燃焼機器には複数の燃焼機器に共通のマスターナンバーが予め登録設定されたマスターナンバー登録部が設けられ、このマスターナンバーを有するマスターリモコンは、マスターナンバーにより複数の燃焼機器と無線信号による相互通信可能であるため、マスターリモコンを用意し、マスターリモコンに設けられているＩＤナンバー操作手段によって、燃焼機器のリモコンＩＤナンバーを更新登録することが可能となる。
【００１６】
そのため、個別の燃焼機器の操作用として予め設けられたリモコンが紛失したときには、マスターリモコンによって、燃焼機器のリモコンＩＤナンバーを別に用意したリモコンのリモコンＩＤナンバーに更新登録することにより、更新登録されたリモコンＩＤナンバーと同じＩＤナンバーが登録設定されたＩＤ登録リモコン(前記別のリモコン)と燃焼機器とが無線信号によって相互通信可能となり、上記課題が解決される。
【００１７】
【発明の実施の形態】
以下、本発明の実施の形態について図面に基づいて説明する。なお、本実施形態例の説明において、従来例と同一名称部分には同一符号を付し、その重複説明は省略する。図１には、本発明に係る燃焼機器のリモコン通信システムの第１実施形態例の要部構成がブロック図により示されている。
【００１８】
同図において、給湯器１の制御装置２には、従来例と同様のリモコンＩＤナンバー登録部８と無線信号送受信手段１３が設けられている。また、本実施形態例では、制御装置２に、複数の燃焼機器に共通のマスターナンバー”００”が予め登録設定されたマスターナンバー登録部９と、ＩＤ登録リモコンのＩＤナンバーを変更するＩＤナンバー変更手段１０と、図示されていないＩＤナンバー登録スイッチと、許可信号出力手段１２が設けられている。
【００１９】
リモコン４ｂは、従来例で示したリモコン４ａと同様のＩＤ登録リモコンとして機能するものであるが、リモコン４ｂは、給湯器１の操作用リモコンとして予め設けられたリモコン４ａとは異なるリモコンである。すなわち、リモコン４ｂは、リモコン４ａと同様の無線信号送受信手段１４とＩＤナンバー登録部５とを有しているが、リモコン４ｂのＩＤナンバー登録部５にはＩＤナンバー”８０”が登録されており、このＩＤナンバーは、リモコン４ａのＩＤナンバー登録部５や給湯器１に予め登録されているリモコンＩＤナンバー”７８”とは異なるものである。
【００２０】
また、リモコン４ｂには、図示されていないＩＤナンバー登録スイッチと、許可信号出力手段１８が設けられている。
【００２１】
さらに、図１に示すように、本実施形態例の燃焼機器のリモコン通信システムには、マスターリモコン３が設けられており、マスターリモコン３は、無線信号送受信手段１５とＩＤナンバー操作手段６とＩＤナンバー登録部１６を有している。マスターリモコン３のＩＤナンバー登録部１６には、前記マスターナンバー”００”が登録されており、マスターリモコン３は、このマスターナンバーにより複数の燃焼機器と無線信号による相互通信可能なリモコンと成している。
【００２２】
ＩＤナンバー操作手段６は、燃焼機器のリモコンＩＤナンバーを更新登録するものであり、本実施形態例の最も特徴的なことは、前記マスターナンバーにより複数の燃焼機器と無線信号による相互通信可能なマスターリモコン３を用意し、マスターリモコン３のＩＤナンバー操作手段６によって燃焼機器のリモコンＩＤナンバーを更新登録するようにしたことである。
【００２３】
給湯器１およびリモコン４ｂにそれぞれ設けられている前記ＩＤナンバー登録スイッチは、手動のスイッチであり、例えば給湯器１およびリモコン４ｂの表面側に設けられており、給湯器１に設けられているＩＤナンバー登録スイッチは、給湯器１のフロントパネルを開くことなく操作可能と成している。
【００２４】
また、給湯器１およびリモコン４ｂにそれぞれ設けられている前記許可信号出力手段１２，１８は、前記ＩＤナンバー登録スイッチのオン信号を受けたときのみＩＤナンバーの変更動作の許可信号を出力するものである。
【００２５】
給湯器１の前記ＩＤナンバー変更手段１０は、マスターリモコン３のＩＤナンバー操作手段６によって給湯器１のリモコンＩＤナンバーが変更された後に、ＩＤ登録リモコン４のＩＤナンバーを変更するものである。
【００２６】
本実施形態例は以上のように構成されており、次に、本実施形態例のリモコン通信システムを用いたＩＤナンバー登録動作について説明する。まず、同図に示すように、マスターナンバー”００”を有するマスターリモコン３を用意する。そして、給湯器１の前記ＩＤナンバー登録スイッチをオンし、次に、マスターリモコン３に設けられている図示されていない操作部を操作することなどにより、ＩＤナンバー操作手段６から、給湯器１のリモコンＩＤナンバーを”７８”から”８０”に変更するためのリモコンＩＤナンバー更新登録信号を出力し、無線信号送受信手段１５に加える。無線信号送受信手段１５は、このリモコンＩＤナンバー更新登録信号を無線信号に乗せて送信し、給湯器１の無線信号送受信手段１３に加える。
【００２７】
そうすると、給湯器１側では、前記許可信号出力手段１２からＩＤナンバーの許可信号が出力され、前記マスターリモコン３から給湯器１側に送信されたリモコンＩＤナンバー更新登録信号は、給湯器１の無線信号送受信手段１３を介してリモコンＩＤナンバー登録部８に加えられ、リモコンＩＤナンバー登録部のリモコンＩＤナンバーが”７８”から”８０”に更新登録される。
【００２８】
そして、給湯器１のリモコンＩＤナンバー登録部８に登録されるリモコンＩＤナンバーが、”８０”に更新登録されると、この給湯器１とリモコン４ｂとは、無線信号送受信手段１３，１４を介して、無線信号による相互通信可能となり、リモコン４ｂから加えられる無線信号により、例えば前記のようなバーナーの燃焼制御などの制御を行うようになる。
【００２９】
なお、本実施形態例では、給湯器１にＩＤナンバー変更手段１０が設けられているため、上記と同様にマスターリモコン３を用いての給湯器１のリモコンＩＤナンバー更新登録動作により、給湯器１のリモコンＩＤナンバーを、例えば”７８”から”６０”に変更し、給湯器１のリモコンＩＤナンバーが変更された後に、給湯器１のＩＤナンバー変更手段１０によって、リモコン４ｂのＩＤナンバーを”８０”から”６０”に変更してもよい。
【００３０】
この場合、リモコン４ｂのＩＤナンバー登録スイッチをオンしておき、ＩＤナンバー変更手段１０からＩＤナンバー変更信号を出力して無線信号送受信手段１３に加え、このＩＤナンバー変更信号を無線信号に乗せて送信し、リモコン４ｂの無線信号送受信手段１４に加える。そうすると、リモコン４ｂ側で、前記許可信号出力手段１８からＩＤナンバーの変更動作の許可信号が出力され、給湯器１からリモコン４ｂに送信された前記ＩＤナンバー変更信号は、無線信号送受信手段１４を介してリモコン４ｂのＩＤナンバー登録部５ｂに加えられ、ＩＤナンバー登録部５ｂのＩＤナンバーが”８０”から”６０”に更新登録される。
【００３１】
本実施形態例によれば、上記動作により、マスターリモコン３の操作によって、給湯器１のリモコンＩＤナンバー登録部８に予め登録されているリモコンＩＤナンバーを自在に更新登録できるために、例えば給湯器１の操作用として予め与えられたリモコン４ａが紛失してしまった場合には、給湯器１に予め登録されているリモコンＩＤナンバーを更新登録して、例えばＩＤ登録リモコン４ｂのＩＤナンバーに変更することにより、非常に容易に給湯器１のリモコンＩＤナンバー更新登録操作を行なうことができる。従って、リモコン４ａを紛失してしまったとしても、例えば給湯器１のフロントパネルを外して給湯器１をリモコンＩＤナンバー登録可能な状態に設定してからリモコンＩＤナンバー登録作業を行うといった面倒な手間を必要とせずに、他のリモコン４ｂを前記リモコン４ａの代わりに用いて給湯器１の操作を可能とすることができる。
【００３２】
また、本実施形態例によれば、上記動作により、給湯器１のＩＤナンバー変更手段１０によって、リモコン４ｂのＩＤナンバーを変更することもできるために、給湯器１のリモコンＩＤナンバーをマスターリモコン３によって更新登録し、さらに、リモコン４ｂのＩＤナンバーを給湯器１のリモコンＩＤナンバーに対応させて変更すれば、給湯器１のリモコンＩＤナンバーとリモコン４ｂのＩＤナンバーとを共に更新登録し、この更新登録した新たなＩＤナンバーにより給湯器１などの燃焼機器とリモコン４ｂとの無線信号による相互通信を行うことができる。
【００３３】
さらに、本実施形態例では、、給湯器１とＩＤ登録リモコン４にはＩＤナンバー登録スイッチと、このＩＤナンバー登録スイッチのオン信号を受けたときのみＩＤナンバーの変更動作の許可信号を出力する許可信号出力部１２，１８がそれぞれ設けられているために、例えば給湯器１に予め登録されているＩＤナンバーと同じＩＤナンバーを有するＩＤ登録リモコン４をなくしたときにのみ、給湯器１側のＩＤナンバー登録スイッチをオンしてＩＤナンバーの変更動作を行なうようにすれば、例えば、集合住宅などにおいて、誤って隣の家の燃焼機器のＩＤナンバー更新登録動作を行なってしまうといった誤動作を確実に防ぐことができる。
【００３４】
なお、本発明は上記実施形態例に限定されることはなく様々な実施の態様を採り得る。例えば、上記実施形態例では、給湯器１のリモコンＩＤナンバー登録部８に登録されているＩＤナンバー”７８”を”８０”または”６０”に更新登録する例を述べたが、給湯器１等燃焼機器に予め登録されているＩＤナンバーや更新登録するＩＤナンバーは特に限定されるものではなく、適宜設定されるものである。
【００３５】
また、上記実施形態例では、給湯器１とリモコン４ｂに、ＩＤナンバー登録スイッチと許可信号出力手段１２，１８を設けたが、例えば図２に示すように、これらは省略することができる。ただし、上記実施形態例のように、給湯器１に許可信号出力手段１２，１８を設けることにより、上記実施形態例のように、集合住宅などにおけるＩＤナンバー更新登録動作の誤動作を確実に防ぐことができる。
【００３６】
さらに、上記実施形態例では、マスターリモコン３を用いて給湯器１のＩＤナンバー更新登録動作を行なうようにしたが、マスターリモコン３の代わりに、給湯器１に信号接続されるＩＤナンバー登録外部操作装置を設け、このＩＤナンバー登録外部操作装置によって給湯器１のリモコンＩＤナンバーを変更登録するようにしてもよい。
【００３７】
さらに、上記実施形態例では、燃焼機器として、給湯器１を例にあげたが、本発明の燃焼機器リモコン通信システムが適用される燃焼機器は給湯器１に限定されることはなく、例えば風呂装置等の様々な燃焼機器機器に広く適用されるものである。
【００３８】
【発明の効果】
本発明によれば、複数の燃焼機器に共通のマスターナンバーを各燃焼機器のマスターナンバー登録部に登録し、このマスターナンバーを有してマスターナンバーにより複数の燃焼機器と無線信号による相互通信可能なマスターリモコンを用意し、マスターリモコンに設けられているＩＤナンバー操作手段によって、複数の燃焼機器のリモコンＩＤナンバーを更新登録できるようにしたものであるから、個別の燃焼機器の操作用として予め設けられたリモコン（ＩＤ登録リモコン）が紛失したときには、マスターリモコンによって、燃焼機器のリモコンＩＤナンバーを別に用意したＩＤ登録リモコンのリモコンＩＤナンバーに更新登録することにより、更新登録されたリモコンＩＤナンバーと同じＩＤナンバーが登録設定されたＩＤ登録リモコンと燃焼機器とを無線信号によって相互通信可能とすることができる。
【００３９】
また、燃焼機器にＩＤ登録リモコンのＩＤナンバーを変更するＩＤナンバー変更手段を設け、マスターリモコンのＩＤナンバー操作手段によって燃焼機器のリモコンＩＤナンバーが変更された後に、前記燃焼機器のＩＤナンバー変更手段によってＩＤ登録リモコンのＩＤナンバーを燃焼機器のリモコンＩＤナンバーと等しいＩＤナンバーに変更する構成の本発明によれば、燃焼機器側に登録するＩＤナンバーと、ＩＤ登録リモコン側に登録するＩＤナンバーとの両方を更新できるために、必要に応じて新たなＩＤナンバーを燃焼機器とＩＤ登録リモコンの両方に登録して燃焼機器との無線による相互通信を行なうことができる。
【００４０】
さらに、燃焼機器とＩＤ登録リモコンの少なくとも一方にはＩＤナンバー登録スイッチと、該ＩＤナンバー登録スイッチのオン信号を受けたときのみＩＤナンバーの変更動作の許可信号を出力する許可信号出力部を設けた本発明によれば、燃焼機器側のＩＤナンバー登録スイッチをオンしてＩＤナンバーの変更動作を行なうようにすることにより、例えば、集合住宅などにおいて、誤って隣の家の燃焼機器のＩＤナンバー更新登録動作をも行なってしまうといった誤動作を確実に防ぐことができる。
【００４１】
さらに、マスターリモコンの代わりに、燃焼機器信号接続されるＩＤナンバー登録外部操作装置を設け、該ＩＤナンバー登録外部操作装置によって燃焼機器のリモコンＩＤナンバーを変更登録する本発明によれば、ＩＤナンバー登録外部操作装置を用いることにより、マスターリモコンを用いた場合と同様の効果を奏することができる。
【図面の簡単な説明】
【図１】本発明に係る燃焼機器のリモコン通信システムの一実施形態例の制御構成を示すブロック図である。
【図２】本発明に係る燃焼機器のリモコン通信システムの他の実施形態例の制御構成を示すブロック図である。
【図３】従来の燃焼機器のリモコン通信システムの一例を示す説明図である。
【符号の説明】
３  マスターリモコン
５，５ａ，５ｂ  ＩＤナンバー登録部
６  ＩＤナンバー操作手段
８  リモコンＩＤナンバー登録部
９  マスターナンバー登録部
１２，１８  許可信号出力手段
【図１】
0003880205.tif 000002
【図２】
0003880205.tif 000003
【図３】
0003880205.tif 000004